(57)【要約】【課題】  ユーザに負担をかけずに、ユーザの商品購入又はサービスの利用に関する特性に基づいて配信情報の選択基準を生成・更新する。【解決手段】  ユーザ１が店舗２に赴いた際に、ユーザの会員データ及びフィルタデータをユーザ端末１００から店舗端末２００に送信し、また、ユーザ１の購入商品又は利用サービスに関する情報をレジ情報としてレジスター２５０から店舗端末２００に送信し、店舗端末２００は会員データ、フィルタデータ、レジ情報を本部サーバ３００に送信し、本部サーバ３００では、フィルタデータ、レジ情報及び当該ユーザの商品・サービス履歴情報に基づき新たなフィルタデータを生成し、店舗端末２００経由でユーザ端末１００に新たなフィルタデータを供給し、ユーザ端末１００では、人工衛星５から配信される配信情報のうち新たなフィルタデータに合致する配信情報を選択し、選択した配信情報を表示する。【選択図】図１
2005050233.tif 000002
【特許請求の範囲】
【請求項１】
配信情報を受信する配信情報受信部と、
前記配信情報からユーザに見合った配信情報を選択する基準である選択基準を記憶するフィルタ記憶部と、
前記配信情報受信部が受信した配信情報から、前記フィルタ記憶部が記憶している選択基準に合致する配信情報を選択してユーザに提供する配信情報選択部とを備える配信情報受信装置において、
所定の外部装置が生成した前記選択基準を取得して、前記フィルタ記憶部にその選択基準を記憶させる選択基準更新部を備えたことを特徴とする配信情報受信装置。
【請求項２】
前記選択基準更新部は、前記外部装置から新たに選択基準を取得し、前記フィルタ記憶部が記憶する選択基準を更新することを特徴とする請求項１に記載の配信情報受信装置。
【請求項３】
前記選択基準更新部は、
前記外部装置が配信情報受信装置を利用するユーザの特性を分析して生成した選択基準を取得することを特徴とする請求項１に記載の配信情報受信装置。
【請求項４】
前記選択基準更新部は、
前記外部装置が前記ユーザの商品購入又はサービスの利用に関する特性を分析して生成した選択基準を取得し、
前記配信情報受信部は、
商品又はサービスに関する配信情報を受信し、
前記配信情報選択部は、
前記配信情報受信部により受信された商品又はサービスに関する配信情報の中から、前記選択基準更新部により取得された前記外部装置が生成した選択基準に合致する配信情報を選択することを特徴とする請求項３に記載の配信情報受信装置。
【請求項５】
前記選択基準更新部は、
前記ユーザが商品の購入又はサービスの利用を行った際に前記外部装置が前記ユーザの商品購入又はサービスの利用に関する特性を分析して生成した選択基準を取得することを特徴とする請求項４に記載の配信情報受信装置。
【請求項６】
前記配信情報出力部が前記配信情報の一部を出力するタイミングを、タイミング指示付き配信情報に従って制御する出力タイミング制御部をさらに備え、
前記配信情報受信部は、前記タイミング指示付き配信情報を受信し、
前記配信情報出力部は、前記出力タイミング制御部により制御された出力タイミングでタイミング指示付き配信情報を出力することを特徴とする請求項１に記載の配信情報受信装置。
【請求項７】
前記配信情報受信部は、
準天頂衛星から配信される配信情報を受信することを特徴とする請求項１に記載の配信情報受信装置。
【請求項８】
ネットワーク又は放送による配信情報からユーザに見合った配信情報を選択するための選択基準を、そのユーザの特性に基づいて生成する選択基準生成部と、
前記選択基準生成部が生成した選択基準を、前記ユーザに配信情報を提供する配信情報受信装置に供給する選択基準供給部と、
を有することを特徴とする情報処理装置。
【請求項９】
前記ユーザの商品購入又はサービスの利用に関する情報を入力するユーザ情報入力部をさらに備え、
前記選択基準生成部は、
前記ユーザ情報入力部により入力された前記ユーザの商品購入又はサービスの利用に関する情報を用いて前記ユーザの商品購入又はサービスの利用に関する特性を分析し、分析した前記ユーザの特性に基づき、前記配信情報受信装置に対する選択基準を生成することを特徴とする請求項８に記載の情報処理装置。
【請求項１０】
前記ユーザ情報入力部は、
前記ユーザに関する情報を入力するとともに、前記配信情報受信装置が保有している選択基準を保有選択基準として入力し、
前記選択基準生成部は、
前記ユーザ情報入力部により入力された前記ユーザに関する情報及び前記保有選択基準を用いて前記ユーザの特性を分析し、分析した前記ユーザの特性に基づき、前記配信情報受信装置に対する新たな選択基準を生成し、
前記選択基準供給部は、
前記選択基準生成部により生成された新たな選択基準を前記配信情報受信装置に供給することを特徴とする請求項９に記載の情報処理装置。
【請求項１１】
前記ユーザ情報入力部は、
前記ユーザの商品購入又はサービスの利用に関する情報と、前記保有選択基準とを入力し、
前記選択基準生成部は、
前記ユーザ情報入力部により入力された前記ユーザの商品購入又はサービスの利用に関する情報及び前記保有選択基準を用いて前記ユーザの商品購入又はサービスの利用に関する特性を分析し、分析した前記ユーザの特性に基づき、前記配信情報受信装置に対する新たな選択基準を生成することを特徴とする請求項１０に記載の情報処理装置。
【請求項１２】
前記ユーザ情報入力部は、
商品又はサービスを提供する店舗において前記ユーザが商品の購入又はサービスの利用を行った際に、前記ユーザが前記店舗において購入した商品又は利用したサービスに関する情報と、前記保有選択基準とを前記店舗に設置された店舗装置から入力し、
前記選択基準生成部は、
前記ユーザ情報入力部により入力された前記ユーザが前記店舗において購入した商品又は利用したサービスに関する情報及び前記保有選択基準を用いて前記ユーザの商品購入又はサービスの利用に関する特性を分析し、分析した前記ユーザの特性に基づき、前記配信情報受信装置に対する新たな選択基準を生成し、
前記選択基準提供装置は、
前記選択基準生成部により生成された新たな選択基準を前記店舗装置に対して送信して前記配信情報受信装置に新たな選択基準を供給することを特徴とする請求項１１に記載の情報処理装置。
【請求項１３】
前記情報処理装置は、更に、
前記ユーザが前記店舗において購入した商品又は利用したサービスの履歴を示す商品・サービス履歴情報を記憶する商品・サービス履歴情報記憶部を有し、
前記選択基準生成部は、
前記ユーザ情報入力部により入力された前記ユーザが前記店舗において購入した商品又は利用したサービスに関する情報と、前記保有選択基準と、前記商品・サービス履歴情報記憶部に記憶されている商品・サービス履歴情報とを用いて前記ユーザの商品購入又はサービスの利用に関する特性を分析し、分析した前記ユーザの特性に基づき、前記配信情報受信装置に対する新たな選択基準を生成することを特徴とする請求項１２に記載の情報処理装置。
【請求項１４】
前記情報処理装置は、更に、
前記配信情報受信装置が保有している保有選択基準に合致し、前記配信情報受信装置において保有選択基準との照合により出力の対象として選択できる配信情報を生成する配信情報生成部と、
前記配信情報生成部により生成された配信情報を所定の配信情報配信装置に供給し、前記配信情報配信装置から配信情報を配信させる配信情報供給部とを有することを特徴とする請求項８に記載の情報処理装置。
【請求項１５】
前記配信情報供給部は、
前記配信情報配信装置として、準天頂衛星に配信情報を供給し、準天頂衛星から配信情報を配信させることを特徴とする請求項１４に記載の情報処理装置。
【請求項１６】
ネットワーク又は放送による配信情報からユーザに見合った配信情報を選択するための選択基準を記憶し、前記配信情報をユーザに提供する配信情報受信装置に前記選択基準を供給する記憶媒体において、
前記選択基準を生成する情報処理装置が生成した選択基準を記録可能なように構成されたことを特徴とする記憶媒体。
【請求項１７】
前記記憶媒体は、
前記情報処理装置が前記配信情報受信装置のユーザの特性を分析して生成した選択基準を記録することを特徴とする請求項１６に記載の記憶媒体。
【請求項１８】
前記記憶媒体は、
前記情報処理装置が前記ユーザの商品購入又はサービスの利用に関する特性を分析して生成した選択基準を記録し、
所定の場合に、記録した選択基準を前記配信情報受信装置に読込ませて前記配信情報受信装置に商品又はサービスに関する配信情報の選択を行なわせることを特徴とする請求項１７に記載の記憶媒体。
【請求項１９】
前記記憶媒体は、
前記ユーザが商品の購入又はサービスの利用を行った際に前記情報処理装置が前記ユーザの商品購入又はサービスの利用に関する特性を分析して生成した選択基準を記録することを特徴とする請求項１７に記載の記憶媒体。
【請求項２０】
配信情報を受信するとともに、受信した配信情報の中から特定の配信情報を選択し、選択した配信情報を出力する配信情報受信装置と、
前記配信情報受信装置における配信情報の選択を管理する情報処理装置とを有する情報システムであって、
前記情報処理装置は、
前記配信情報受信装置を利用するユーザに関する情報を受信し、
受信した前記ユーザに関する情報を用いて前記ユーザの特性を分析し、分析した前記ユーザの特性に基づき、前記配信情報受信装置に配信情報を選択させるための選択基準を生成し、生成した選択基準を前記配信情報受信装置に供給し、
前記配信情報受信装置は、
前記情報処理装置が生成した選択基準を入力し、
受信した配信情報の中から、前記情報処理装置が生成した選択基準に合致する配信情報を選択し、選択した配信情報を出力することを特徴とする情報システム。
【請求項２１】
前記情報処理装置は、
前記ユーザの商品購入又はサービスの利用に関する情報を受信し、
受信した前記ユーザの商品購入又はサービスの利用に関する情報を用いて前記ユーザの商品購入又はサービスの利用に関する特性を分析し、分析した前記ユーザの特性に基づき、前記配信情報受信装置に対する選択基準を生成し、生成した選択基準を前記配信情報受信装置に供給し、
前記配信情報受信装置は、
商品又はサービスに関する配信情報を受信可能であり、
商品又はサービスに関する配信情報を受信した場合に、受信した商品又はサービスに関する配信情報の中から、前記情報処理装置が生成した選択基準に合致する配信情報を選択することを特徴とする請求項２０に記載の情報システム。
【請求項２２】
前記情報処理装置は、
前記ユーザに関する情報を受信するとともに、前記配信情報受信装置が保有している選択基準を保有選択基準として受信し、
受信した前記ユーザに関する情報及び前記保有選択基準を用いて前記ユーザの特性を分析し、分析した前記ユーザの特性に基づき、前記配信情報受信装置に対する新たな選択基準を生成し、生成した新たな選択基準を前記配信情報受信装置に供給し、
前記配信情報受信装置は、
前記情報処理装置が生成した新たな選択基準を入力した後は、受信した配信情報の中から新たな選択基準に合致する配信情報を選択することを特徴とする請求項２０に記載の情報システム。
【請求項２３】
前記情報処理装置は、
前記ユーザの商品購入又はサービスの利用に関する情報と、前記保有選択基準とを受信し、
受信した前記ユーザの商品購入又はサービスの利用に関する情報及び前記保有選択基準を用いて前記ユーザの商品購入又はサービスの利用に関する特性を分析し、分析した前記ユーザの特性に基づき、前記配信情報受信装置に対する新たな選択基準を生成し、生成した選択基準を前記配信情報受信装置に供給し、
前記配信情報受信装置は、
商品又はサービスに関する配信情報を受信可能であり、
前記情報処理装置が生成した新たな選択基準を入力した後は、受信した商品又はサービスに関する配信情報の中から新たな選択基準に合致する配信情報を選択することを特徴とする請求項２２に記載の情報システム。
【請求項２４】
前記情報処理装置は、
商品又はサービスを提供する店舗において前記ユーザが商品の購入又はサービスの利用を行った際に、前記ユーザが前記店舗において購入した商品又は利用したサービスに関する情報と、前記保有選択基準とを前記店舗に設置された店舗装置から受信し、
受信した前記ユーザが前記店舗において購入した商品又は利用したサービスに関する情報及び前記保有選択基準を用いて前記ユーザの商品購入又はサービスの利用に関する特性を分析し、分析した前記ユーザの特性に基づき、前記配信情報受信装置に対する新たな選択基準を生成し、
生成した新たな選択基準を前記店舗装置に対して送信し、
前記配信情報受信装置は、
前記店舗装置を介して、前記情報処理装置が生成した新たな選択基準を入力することを特徴とする請求項２３に記載の情報システム。
【発明の詳細な説明】
【技術分野】
【０００１】
本発明は、不特定多数のユーザに配信される配信情報の中から特定の配信情報を選択させるための技術に関する。
【背景技術】
【０００２】
配信情報を放送等により不特定多数のユーザに一斉に配信する場合は、ユーザごとに必要となる情報が異なるにもかかわらず、ユーザは配信情報を選択することができず、必要な情報も必要のない情報も一様に視聴しなければならない。
【０００３】
この問題に関して、特開２００２−１６４８５７号公報に記載の「情報配信システム」では、配信情報をユーザの属性に従って選択する構成が示されている。
【０００４】
この「情報配信システム」は、配信情報（例えば、広告情報）を配信する情報配信者と、配信情報を受信可能なユーザ端末とから構成される。
【０００５】
情報配信者側では、配信情報ごとに配信情報を配信したいユーザの属性（地域情報、郵便番号、電話番号、性別、年齢、職業、趣味等）からなる配信情報項目を付加して配信情報を配信する。また、ユーザは、自己の属性（地域情報、郵便番号、電話番号、性別、年齢、職業、趣味等）を所定のＩＣカードに書き込み、ユーザ端末は当該ＩＣカードからユーザの属性を読み込み、情報配信者より配信された配信情報の配信情報項目とＩＣカードから読み込んだユーザ属性とを比較し、ユーザ属性が最も合致する配信情報を選択し表示する。
【０００６】
【特許文献１】特開２００２−１６４８５７号公報
【発明の開示】
【発明が解決しようとする課題】
【０００７】
しかし、上記の特開２００２−１６４８５７号公報に記載の「情報配信システム」では、配信情報を選択するための選択基準となるユーザ属性をユーザ自身がＩＣカードに書き込まなければならず、ユーザに負担をかけることになっていた。
【０００８】
また、ＩＣカードに書き込まれるユーザ属性は、地域情報、郵便番号、電話番号、性別、年齢、職業、趣味といった一般的な情報のみであり、ユーザの商品購入又はサービスの利用に関する特性、傾向、嗜好などが配信情報の選択において反映されておらず、また、ユーザの商品購入やサービスの利用状況に応じたユーザ属性の更新が行われないので、ユーザに必要な情報が的確に選択されないおそれがあり、また、配信情報の提供元（例えば、商品・サービスの提供者）においても配信情報による広告効果を十分に得られないおそれがある。
【０００９】
そこで、本発明は、以上のような問題点を解決すべく、ユーザに負担をかけることなく、ユーザの商品購入又はサービスの利用に関する特性に基づいて配信情報の選択基準の生成・更新が可能な構成を実現することを目的とする。
【課題を解決するための手段】
【００１０】
本発明に係る配信情報受信装置は、
配信情報を受信する配信情報受信部と、
前記配信情報からユーザに見合った配信情報を選択する基準である選択基準を記憶するフィルタ記憶部と、
前記配信情報受信部が受信した配信情報から、前記フィルタ記憶部が記憶している選択基準に合致する配信情報を選択してユーザに提供する配信情報選択部とを備える配信情報受信装置において、
所定の外部装置が生成した前記選択基準を取得して、前記フィルタ記憶部にその選択基準を記憶させる選択基準更新部を備えたことを特徴とする。
【発明の効果】
【００１１】
本発明に係る配信情報受信装置は、配信される情報からユーザに見合った情報を選択する基準となる選択基準を外部から取得することとしたので、ユーザによる操作負担を軽減し、ユーザの特性に合致した配信情報のみを選択し出力することができる。
【発明を実施するための最良の形態】
【００１２】
実施の形態１．
図１は、本実施の形態に係るシステム構成の例を示す図である。
【００１３】
図１において、ユーザ１が携帯するユーザ端末１００は、人工衛星５からの配信情報を受信するとともに、受信した配信情報の中から特定の配信情報を選択し、選択した配信情報を表示する。ユーザ端末１００が受信する配信情報は、例えば、商品又はサービスについての広告情報である。ユーザ端末１００は、携帯電話機やＰＤＡ（Ｐｅｒｓｏｎａｌ  Ｄｉｇｉｔａｌ  Ａｓｓｉｓｔａｎｔｓ）としてもよい。
【００１４】
また、ユーザ端末１００は、配信情報受信装置の例に相当する。
【００１５】
店舗２は、商品又はサービスの提供を行う事業者の店舗であり、事業者本部３の本部サーバ３００に接続された店舗端末２００と、商品又はサービスに対する会計処理に用いられるレジスター２５０が設置されている。店舗端末２００は、ユーザ１の来店の際に、本部サーバ３００との間で通信を行い、ユーザ端末１００が配信情報を選択する際に用いるフィルタデータ（選択基準）を本部サーバ３００から受信し、ユーザ端末１００にフィルタデータを供給する。なお、店舗端末２００は、店舗装置の例に相当する。
【００１６】
事業者本部３は、店舗２を統括する本部組織であり、店舗２の店舗端末２００と衛星送出センタ４とに接続された本部サーバ３００が設置されている。本部サーバ３００は、ユーザ１の店舗２への来店の際に、店舗端末２００と通信を行い、店舗端末２００を介してユーザ端末１００にフィルタデータを供給する。また、ユーザ端末１００に表示させるための配信情報を生成し、衛星送出センタ４、人工衛星５を介してユーザ端末１００に配信する。
【００１７】
なお、図示していないが、本部サーバ３００は、複数の支店店舗の店舗端末と接続され、複数の店舗を利用するユーザのユーザ端末に対して複数の店舗端末を介してフィルタデータを供給するようにしてもよい。
【００１８】
また、本部サーバ３００は、情報処理装置又は外部装置の例に相当する。
【００１９】
また、本部サーバと店舗端末とが一体として構成（スタンドアロン構成）されていてもよい。
【００２０】
衛星送出センタ４は、本部サーバ３００から配信情報を受信するとともに、受信した配信情報を人工衛星５に送信する。
【００２１】
人工衛星５は、衛星送出センタ４から受信した配信情報を配信する。人工衛星５は、配信情報配信装置の例に相当する。
【００２２】
次に、本実施の形態に係るシステムの動作例を概説する。
【００２３】
なお、以下では、店舗２をレンタルビデオ店と想定して説明する。
【００２４】
ユーザ端末１００は、人工衛星５からの配信情報を受信可能であるとともに、所定の近距離無線通信（例えば、赤外線等）が可能である。
【００２５】
ユーザ１は、店舗２に赴き、所望のビデオが見つかった場合には、店舗２のレジカウンタにてレンタルの申し出を行う。
【００２６】
ユーザ１が当該レンタルビデオ店の会員であれば、会員であることを示す会員データ（例えば、会員番号）がユーザ端末１００に格納されており、レンタルの申し出の際にユーザ端末１００から店舗端末２００に会員データを近距離無線通信により送信する。ユーザが会員でない場合は、所定の入会手続を行った後、店舗端末２００からユーザ端末１００に会員データ（会員番号等）を近距離無線通信により送信し、ユーザ端末１００では受信した会員データを格納し、次回から利用できるようにする。
【００２７】
また、ユーザ１が会員であれば、フィルタデータが既にユーザ端末１００に格納されており、レンタルの申し出の際に、ユーザ端末１００から店舗端末２００にフィルタデータを近距離無線通信により送信する。
【００２８】
以上の処理の後、貸し出されるビデオのタイトル、カテゴリー、料金等が店員によりレジスター２５０に入力される。この際に、レジスター２５０から店舗端末２００に対して、少なくともビデオのタイトル、カテゴリーがレジ情報として送信される。カテゴリーとして、映画の場合は、例えば、映画のジャンル（ＳＦ映画、ホラー映画等）、映画のスタッフ（監督名、主演俳優名等）、新作か旧作か等が考えられる。
【００２９】
次に、店舗端末２００は、ユーザ端末１００から受信したフィルタデータ、会員データ、レジ情報（以下、これらをまとめて更新用情報と呼ぶ）を本部サーバ３００に送信する。
【００３０】
本部サーバ３００には、各会員のレンタル履歴（ビデオのタイトル、カテゴリー、日時等）が記憶されており、店舗端末２００から送信された更新用情報にフィルタデータが含まれている場合には、当該会員のレンタル履歴、フィルタデータ、レジ情報からユーザ１のビデオレンタルに関する特性を分析し、ユーザ特性に変化が見られる場合（例えば、最近ＳＦ映画を好む傾向になってきた等）には、新たなフィルタデータを生成し、新たなフィルタデータを店舗端末２００に送信する。
【００３１】
また、フィルタデータの更新が必要ない場合は、更新が不要であることを示す更新不要メッセージを店舗端末２００に送信する。
【００３２】
また、更新用情報にフィルタデータが含まれていない場合には、当該ユーザは新規に入会した会員であるため、レンタル履歴がなく、レジ情報からフィルタデータを生成し、生成したフィルタデータを店舗端末２００に送信する。
【００３３】
店舗端末２００は本部サーバ３００よりフィルタデータを受信した場合には、近距離無線通信によりフィルタデータをユーザ端末１００に送信し、ユーザ端末１００は受信したフィルタデータを格納する。
【００３４】
また、店舗端末２００は、更新不要メッセージを受信した場合には、所定の表示装置に更新不要メッセージを表示する。
【００３５】
以上にて、店舗２での処理は終了し、ユーザ１はレンタルしたビデオを持って店舗２を離れる。
【００３６】
ユーザが店舗に来店したり、購買行動を起こすと、ユーザが来店した時間帯や店舗、選択した商品に基づいて、本部サーバあるいは店舗端末上でそのユーザ向けの情報が更新される。その結果、新たな選択基準（フィルタ）が生成される。この選択基準を店舗端末からユーザ端末に転送して記憶させ、配信情報の選択基準として採用するようにする。
【００３７】
図１１は、本部サーバ３００により生成され、ユーザ端末１００が受信するフィルタデータの例である。
【００３８】
フィルタデータは、例えば、店舗名（レンタル○△×）とユーザ特性（ＳＦ好き等）から構成される。
【００３９】
ユーザ端末１００は、人工衛星５からの配信情報のうち、このフィルタデータに合致する配信情報のみを選択して表示する。
【００４０】
また、本部サーバ３００は、フィルタデータの生成処理とは別ルーチンにて、配信情報の生成処理を行う。
【００４１】
配信情報は、例えば、商品又はサービスの広告情報であり、ユーザ端末１００が保有するフィルタデータに合致するタグを含み、ユーザ端末１００にてフィルタデータと配信情報のタグとの照合を行うことによりユーザ端末１００は当該配信情報を表示対象として選択できる。
【００４２】
図８は、本部サーバ３００にて生成される配信情報の例を示す。
【００４３】
配信情報は、タグと情報本文とから構成される。情報本文には、通知すべき広告情報が記載され、タグはユーザ端末１００に配信情報を選択させる際又は配信情報を表示させる際の制御データが含まれる。具体的には、事業者名、類型名、表示タイミング制御データからなる。事業者名及び類型名は、ユーザ端末１００に供給されるフィルタデータに対応させたデータであり、ユーザ端末１００では、フィルタデータに合致するタグを含む配信情報を選択する。タグに含まれる類型名には、ユーザの属性（年齢、性別、居住地域など）やユーザの嗜好（商品・サービスのジャンルやメニュー等の好みなど）といったユーザの類型が示される。また、表示タイミング制御データ（出力タイミング指示）は、配信情報を表示すべき時間、配信情報を表示すべきユーザ端末の位置、表示回数等を指定することができる。
【００４４】
本部サーバ３００は、配信情報を生成した後は、衛星送出センタ４に配信情報を送信し、衛星送出センタ４が人工衛星５に配信情報を送信し、人工衛星５が配信情報を配信する。
【００４５】
ユーザ端末１００は、人工衛星５から配信される配信情報を受信するとともに、格納しているフィルタデータと配信情報のタグとを照合し、フィルタデータに合致するタグを含む配信情報のみを蓄積し、蓄積した配信情報を表示する。また、蓄積した配信情報に表示タイミング制御データが含まれている場合は、表示タイミング制御データの指示する表示タイミングで配信情報を表示する。
【００４６】
次に、図２を参照して、本実施の形態に係るユーザ端末１００の構成例を説明する。
【００４７】
配信情報受信部１０１は、人工衛星５からの配信情報を受信する。
【００４８】
フィルタリング処理部１０２は、本部サーバ３００から供給されたフィルタデータ１０３を格納し、配信情報受信部１０１が受信した配信情報のタグとフィルタデータ１０３とを照合し、フィルタデータ１０３に合致するタグを含む配信情報のみを選択する。
【００４９】
配信情報蓄積部１０４は、フィルタリング処理部１０２により選択された配信情報を蓄積する。
【００５０】
表示タイミング制御部１０５は、配信情報蓄積部１０４に蓄積された配信情報の表示タイミングを、表示タイミング制御データに従って制御する。
【００５１】
近距離無線通信部１０６は、店舗端末２００との間で近距離無線通信を行う。近距離無線通信部１０６は、具体的には、フィルタデータと会員データを店舗端末２００に送信し、また、店舗端末２００からはフィルタデータ（新規作成されたフィルタデータ又は更新されたフィルタデータ）を受信する。
【００５２】
データ読出書込部１０７は、フィルタデータの送信の際には、フィルタリング処理部１０２からフィルタデータ１０３を読み出して近距離無線通信部１０６に供給し、フィルタデータの受信の際には、受信されたフィルタデータを近距離無線通信部１０６より受領してフィルタリング処理部１０２にフィルタデータ１０３として書き込む。また、会員データについても同様に、送信の際に会員データ記憶部１０８から会員データを読み出して近距離無線通信部１０６に供給し、受信の際に会員データ記憶部１０８から会員データを受領し会員データ記憶部１０８に書き込む。
【００５３】
会員データ記憶部１０８は、ユーザ１の会員データを記憶する。
【００５４】
表示部１０９は、表示タイミング制御部１０５の表示タイミング制御に基づき所定の表示タイミングで配信情報を表示する。
【００５５】
ユーザ入力部１１０は、ユーザ１からの各種コマンドを受け付ける。
【００５６】
なお、近距離無線通信部１０６及びデータ読出書込部１０７は、選択基準更新部の例に相当し、フィルタリング処理部１０２は、配信情報選択部及びフィルタ記憶部の例に相当し、表示タイミング制御部１０５は出力タイミング制御部の例に相当し、近距離無線通信部１０６は、選択基準入力部の例に相当し、表示部１０９は、配信情報出力部の例に相当する。
【００５７】
ユーザ端末１００は、図示していないが、例えばマイクロプロセッサ等のＣＰＵ、半導体メモリ等や磁気ディスク等の記録手段、及び通信手段を有する計算機により実現することができる。記録手段には、ユーザ端末１００に含まれる各構成要素の機能を実現するプログラムが記録されており、ＣＰＵがこれらのプログラムを読み込むことによりユーザ端末１００の動作を制御し、各構成要素の機能を実現することができる。
【００５８】
次に、図３を参照して、店舗端末２００の構成例を説明する。
【００５９】
近距離無線通信部２０１は、ユーザ端末１００との間で近距離無線通信を行う。近距離無線通信部２０１は、具体的には、フィルタデータ（ユーザ端末が保有しているフィルタデータ（保有選択基準））と会員データをユーザ端末１００から受信し、また、ユーザ端末１００にフィルタデータ（新規作成のフィルタデータ又は更新されたフィルタデータ）を送信する。
【００６０】
レジ情報入力部２０２は、レジスター２５０からレジ情報を受信する。
【００６１】
データ処理部２０３は、近距離無線通信部２０１が受信したフィルタデータ及び会員データと、レジ情報とを相互に対応づけて更新用情報とし、また、必要であれば、本部サーバ３００向けのデータ形式にデータ変換を行う。
【００６２】
本部サーバ向け通信部２０４は、本部サーバ３００との間で通信を行う。本部サーバ向け通信部２０４は、具体的には、更新用情報（フィルタデータ（ユーザ端末が保有しているフィルタデータ（保有選択基準））、会員データ、レジ情報）を本部サーバ３００に送信し、また、フィルタデータ（新規作成のフィルタデータ又は更新されたフィルタデータ）又は更新不要メッセージを本部サーバ３００から受信する。
【００６３】
次に、図４を参照して、本部サーバ３００の構成例を説明する。
【００６４】
店舗端末向け通信部３０１は、店舗端末２００との間で通信を行う。店舗端末向け通信部３０１は、具体的には、更新用情報を店舗端末２００から受信し、また、フィルタデータ（新規作成のフィルタデータ又は更新されたフィルタデータ）又は更新不要メッセージを店舗端末２００に送信する。
【００６５】
商品・サービス履歴情報データベース３０２は、ユーザごとに商品の購入履歴又はサービスの利用履歴を示す商品・サービス履歴情報を記憶している。
【００６６】
フィルタデータ生成部３０３は、フィルタデータ（ユーザ端末が保有しているフィルタデータ（保有選択基準））、レジ情報、商品・サービス履歴情報に基づきユーザの商品購入又はサービスの利用に関する特性を分析し、分析したユーザの特性に基づきフィルタデータを生成する。
【００６７】
配信情報生成部３０４は、ユーザ端末１００に表示させるための配信情報を生成する。
【００６８】
衛星送出センタ向け通信部３０５は、衛星送出センタ４に対して配信情報を送信する。
【００６９】
なお、店舗端末向け通信部３０１は、ユーザ情報受信部及び選択基準供給部の例に相当し、商品・サービス履歴情報データベース３０２は、商品・サービス履歴情報記憶部の例に相当し、フィルタデータ生成部３０３は選択基準生成部の例に相当し、衛星送出センタ向け通信部３０５は配信情報供給部の例に相当する。
【００７０】
本部サーバ３００は、図示していないが、例えばマイクロプロセッサ等のＣＰＵ、半導体メモリ等や磁気ディスク等の記録手段、及び通信手段を有する計算機により実現することができる。記録手段には、本部サーバ３００に含まれる各構成要素の機能を実現するプログラムが記録されており、ＣＰＵがこれらのプログラムを読み込むことにより本部サーバ３００の動作を制御し、各構成要素の機能を実現することができる。
【００７１】
次に、本実施の形態に係るシステムの動作を説明する。
【００７２】
先ず、ユーザ端末１００における動作を図１４を参照して説明する。
【００７３】
ユーザ１が店舗２にて商品の購入又はサービスの利用を行った際に、ユーザ入力部１１０がユーザ１からのフィルタデータ送信指示を入力する（Ｓ１４０１）。
【００７４】
次に、ユーザ１からのフィルタデータ送信指示に基づき、データ読出書込部１０７がフィルタデータ及び会員データが存在するか否かを判断する（Ｓ１４０２）。
【００７５】
フィルタデータ及び会員データが存在する場合には、フィルタリング処理部１０２からフィルタデータ１０３を読み出すとともに会員データ記憶部１０８から会員データを読み出す（Ｓ１４０３）。
【００７６】
次に、近距離無線通信部１０６が読み出されたフィルタデータ及び会員データを近距離無線通信により店舗端末２００に送信する（Ｓ１４０４）。
【００７７】
一方、ステップＳ１４０２においてフィルタデータ及び会員データが存在しなかった場合は、表示部１０９がフィルタデータ及び会員データが存在しない旨を表示する（Ｓ１４０５）。
【００７８】
次に、ユーザ１が店舗２にて入会手続を行った場合は、店舗端末２００から近距離無線通信により会員データが送信されてくるので、近距離無線通信部１０６が送信されてきた会員データを受信する（Ｓ１４０６）。
【００７９】
次に、近距離無線通信部１０６により受信された会員データをデータ読出書込部１０７が会員データ記憶部１０８に書き込み、会員データ記憶部１０８が記憶する。
【００８０】
次に、ステップＳ１４０４のフィルタデータ及び会員データの送信、またはステップＳ１４０７の会員データの記憶から一定時間内に、新規作成されたフィルタデータ又は更新されたフィルタデータを受信した場合（ステップＳ１４０８でＹｅｓ）は、受信したフィルタデータをデータ読出書込部１０７がフィルタリング処理部１０２にフィルタデータ１０３として書き込む。一方、一定時間内にフィルタデータを受信しなかった場合（ステップＳ１４０８でＮｏ）は、そのまま処理を終了する。
【００８１】
なお、図１４では、フィルタデータ及び会員データがユーザ端末１００に存在しない場合（Ｓ１４０２でＮｏの場合）は、会員データを受信（Ｓ１４０６）した後、フィルタデータを受信する（Ｓ１４０８）こととしたが、ステップＳ１４０８の段階で会員データとフィルタデータとを同時に受信するようにしてもよい。
【００８２】
店舗端末２００では、ユーザ端末１００から送信されたフィルタデータ及び会員データを近距離無線通信部２０１が受信するとともに、レジ情報入力部２０２がレジスター２５０から送信されたレジ情報を入力する。また、データ処理部２０３がフィルタデータ、会員データ及びレジ情報を相互に対応づけて更新用情報とし、本部サーバ向け通信部２０４が更新用情報を本部サーバ３００に送信する。
【００８３】
また、ユーザ端末１００からフィルタデータ及び会員データを受信しなかった場合は、所定の表示装置にその旨を表示し、店舗２の店員にユーザ１の入会手続を促す。ユーザ１の入会手続が完了すると、近距離無線通信部２０１から近距離無線通信により会員データをユーザ端末１００に送信する。
【００８４】
また、ユーザ端末１００からフィルタデータ及び会員データを受信しなかった場合は、データ処理部２０３は新規に生成した会員データとレジ情報のみを更新用データとし、本部サーバ向け通信部２０４から本部サーバ３００に送信する。
【００８５】
次に、本部サーバ３００におけるフィルタデータの生成処理を図１５を参照して説明する。
【００８６】
先ず、店舗端末向け通信部３０１が、店舗端末２００から送信された更新用情報を受信する（Ｓ１５０１）。
【００８７】
次に、フィルタデータ生成部３０３が、更新用情報にフィルタデータが含まれているか否かを判断する（Ｓ１５０２）。
【００８８】
もし、更新用情報にフィルタデータが含まれていなければ、更新用情報に含まれたレジ情報から当該ユーザの特性を分析する（Ｓ１５０６）。この分析は、例えば多変数解析（数量化アルゴリズム等）を用いて行う。なお、ユーザ特性の分析方法は、後述する。
【００８９】
一方、ステップＳ１５０２の判断において、更新用情報にフィルタデータが含まれている場合には、会員データに基づき当該ユーザの商品・サービス履歴情報を商品・サービス履歴情報データベース３０２から読み出す（Ｓ１５０３）。
【００９０】
次に、フィルタデータ生成部３０３は、更新用情報に含まれたフィルタデータ、レジ情報、商品・サービス履歴情報データベース３０２から読み出した商品・サービス履歴情報からユーザの特性を分析する（Ｓ１５０４）。この分析は、例えば多変数解析（数量化アルゴリズム等）を用いて行う。なお、ユーザ特性の分析方法は、後述する。
【００９１】
次に、フィルタデータ生成部３０３は、ステップＳ１５０４において分析したユーザの特性から、フィルタデータの更新が必要が必要か否かを判断する（ユーザの特性に変化があったか否かを判断する）。
【００９２】
フィルタデータの更新が必要な場合は、ステップＳ１５０７に進む。
【００９３】
次に、ステップＳ１５０５においてフィルタデータの更新が必要と判断された場合、またはステップＳ１５０６においてユーザの特性を分析した場合に、フィルタデータ生成部３０３は、分析したユーザの特性に基づきフィルタデータを生成する（Ｓ１５０７）。
【００９４】
次に、店舗端末向け通信部３０１が、ステップＳ１５０５で生成されたフィルタデータを店舗端末２００に送信する（Ｓ１５０８）。
【００９５】
一方、ステップＳ１５０５の判断においてフィルタデータの更新が必要なければ、フィルタデータ生成部３０３は、フィルタデータの更新がない旨のメッセージ（更新不要メッセージ）を生成し（Ｓ１５０９）、店舗端末向け通信部３０１が更新不要メッセージを店舗端末２００に送信する（Ｓ１５１０）。
【００９６】
以上のステップＳ１５０８又はステップＳ１５１０の処理の終了後、フィルタデータ生成部３０３は、更新用情報に含まれたレジ情報を商品・サービス履歴情報データベース３０２に登録して、商品・サービス履歴情報の更新を行う。なお、更新用情報にフィルタデータが含まれていなかった場合、つまり、ユーザが今回新たに入会した会員である場合は、当該ユーザの商品・サービス履歴情報が存在していないので、更新用情報に含まれた会員データをもとにして当該ユーザの登録を行い、更新用情報に含まれたレジ情報の内容を当該ユーザの商品・サービス履歴情報として登録する。
【００９７】
以上の本部サーバ３００の処理が終了した後、店舗端末２００では、本部サーバ向け通信部２０４が本部サーバ３００からフィルタデータ又は更新不要メッセージを受信し、フィルタデータを受信した場合は、近距離無線通信部２０１が近距離無線通信によりフィルタデータをユーザ端末１００に送信し、更新不要メッセージを受信した場合には、所定の表示装置に更新不要メッセージを表示する。
【００９８】
以上により、ユーザ端末１００では、新規生成されたフィルタデータ又は更新されたフィルタデータを格納することができる。
【００９９】
ここで、本部サーバ３００のフィルタデータ生成部３０３によるユーザ特性の分析手法について説明する。
【０１００】
以下では、多変量解析（例えば数量化アルゴリズム）による場合について説明する。
【０１０１】
また、以下では、レストランを店舗の例とする場合について説明する。
１）先ず、フィルタデータ生成部３０３は、各商品を価格、カロリー、味付け等の項目についてコード化したデータを作成する（図１７）。なお、コードの例は、図２２に示す通りである。
２）次に、各商品の注文１件ごとの利用履歴データを作成する（図１８）。
３）次に、数量化アルゴリズムによって解析する。
４）その結果得られる分類を商品と顧客属性の類型とする（図１９）。
５）次に、個々の顧客の利用履歴（商品・サービス履歴情報）を抽出する。図２０に利用履歴の例を示す。また、コードの例は、図２２に示す通りである。
６）次に、数量化アルゴリズムによって解析する。
７）その結果を上記の４）で得られた分類に重ね、個々の顧客の嗜好に合致する商品類型を得る（図２１）。
【０１０２】
なお、以上では、多変量解析（例えば数量化アルゴリズム）を用いてユーザ特性を分析する場合について説明したが、これ以外の方法を用いてもよい。
【０１０３】
次に、図１６を参照して、ユーザ端末１００において配信情報を受信する場合の動作を説明する。
【０１０４】
先ず、配信情報受信部１０１が、配信情報を受信する（Ｓ１６０１）。
【０１０５】
次に、フィルタリング処理部１０２が、受信された配信情報に含まれたタグがフィルタデータ１０３に合致するか否かを判断し（Ｓ１６０２）、合致しない場合はその配信情報を破棄して（Ｓ１６０７）処理を終了し、合致する場合はその配信情報を配信情報蓄積部１０４に蓄積する（Ｓ１６０３）。
【０１０６】
次に、表示タイミング制御部１０５が、配信情報蓄積部１０４に蓄積された配信情報について表示タイミング制御データにおいて表示タイミングが指定されているか否かを判断し（Ｓ１６０４）、表示タイミングが指定されていなければそのまま配信情報を表示し（Ｓ１６０６）、表示タイミングが指定されている場合は表示タイミングになったときに配信情報を表示する（Ｓ１６０５、Ｓ１６０６）。
【０１０７】
なお、図１６の場合では、配信情報のタグがフィルタデータに合致するか否かを判断（Ｓ１６０２）した後、フィルタデータに合致するタグを有する配信情報のみを蓄積する（Ｓ１６０３）こととしたが、受信した配信情報をすべて蓄積してから、蓄積した配信情報のそれぞれについてフィルタデータと合致するか否かを判断するようにしてもよい。
【０１０８】
このように、本実施の形態によれば、ユーザの商品購入又はサービスの利用に関する特性に基づいて本部サーバでフィルタデータを生成し、ユーザ端末に供給するため、ユーザに負担をかけることなく、ユーザの商品購入又はサービスの利用に関する特性に合致したフィルタデータの生成・更新が可能であり、これにより、ユーザ端末では、ユーザに必要な配信情報のみを選択し表示することができ、また、事業者においても配信情報による広告効果を適切に得ることができる
また、本部サーバにおいてユーザに供給するフィルタデータに対応させた配信情報を生成することができ、ユーザが視聴する可能性が高い配信情報を効率的に生成することができ、配信情報による広告効果を確実に得ることができる。
【０１０９】
実施の形態２．
本実施の形態では、ユーザが利用する端末装置（配信情報受信装置）を車載端末とした場合の例を説明する。
【０１１０】
図５は、本実施の形態に係るシステムの構成例を示す。
【０１１１】
図において、店舗２、店舗端末２００、レジスター２５０、事業者本部３、本部サーバ３００、衛星送出センタ４、人工衛星５は、実施の形態１で示したものと同様であり、説明を省略する。
【０１１２】
車載端末１５０は、人工衛星５からの配信情報を受信するとともに、受信した配信情報の中から特定の配信情報を選択し、選択した配信情報を表示する。車載端末１５０が受信する配信情報は、例えば、商品又はサービスについての広告情報である。また、車載端末１５０は、配信情報受信装置の例に相当する。
【０１１３】
メモリＩＤカード１７０（記憶媒体）は、ユーザ１が所有するメモリカードであり、店舗２の会員証として機能する。メモリＩＤカード１７０は、フィルタデータ及び会員データの読み出し、書き込みが可能である。
【０１１４】
本実施の形態では、実施の形態１で示したユーザ端末１００の代わりにメモリＩＤカード１７０を用いて店舗端末２００にフィルタデータ及び会員データを提示する。
【０１１５】
具体的には、ユーザ１は店舗２が提供する商品を購入する際又はサービスを利用する際に、メモリＩＤカード１７０を持参して店舗２に赴き、店舗２ではメモリＩＤカード１７０を店舗端末２００に挿入等して店舗端末２００にメモリＩＤカードに記憶されているフィルタデータ及び会員データを読み込み、読み込んだフィルタデータ及び会員データと、レジ情報とを更新用情報として本部サーバ３００に送信し、実施の形態１と同様にして本部サーバ３００で新たなフィルタデータを生成する。その後、本部サーバ３００は新たなフィルタデータを店舗端末２００に送信し、店舗端末２００は新たなフィルタデータをメモリＩＤカード１７０に書き込み、メモリＩＤカード１７０への書き込みが終了したら、ユーザ１はメモリＩＤカード１７０を持って自動車に戻り、新たなフィルタデータが書込まれたメモリＩＤカードを車載端末１５０に挿入等して車載端末１５０に新たなフィルタデータを読込ませ、車載端末１５０では、メモリＩＤカード１７０から読み込んだ新たなフィルタデータに基づいて配信情報の選択を行う。
【０１１６】
また、ユーザ１がメモリＩＤカード１７０を保有していない場合、つまり、ユーザ１が店舗２の会員になっていない場合は、店舗２にて入会手続を行った後、店舗端末２００から本部サーバ３００に会員データ及びレジ情報を更新用情報として送信し、本部サーバ３００ではレジ情報に基づいて新規にフィルタデータを生成し、店舗端末２００に送信する。店舗端末２００では、ユーザ１の会員データ及び本部サーバ３００で生成されたフィルタデータを書き込んだメモリＩＤカード１７０をユーザ１に発行する。ユーザ１はメモリＩＤカード１７０を持って自動車に戻り、新規生成されたフィルタデータが書込まれたメモリＩＤカードを車載端末１５０に挿入等して車載端末１５０にフィルタデータを読込ませ、車載端末１５０では、メモリＩＤカード１７０から読み込んだフィルタデータに基づいて配信情報の選択を行う。
【０１１７】
図６は、本実施の形態に係る車載端末１５０の構成例を示す図である。
【０１１８】
図において、配信情報受信部１５１、フィルタリング処理部１５２、フィルタデータ１５３、配信情報蓄積部１５４、表示タイミング制御部１５５、データ読出書込部１５７、表示部１５８、ユーザ入力部１５９は、実施の形態１で示したそれぞれの対応部分と同じなので説明を省略する。
【０１１９】
カードインタフェース１５６は、メモリＩＤカード１７０とのインタフェースとなり、カードインタフェース１５６へのメモリＩＤカードの挿入又は接触によりデータ読出書込部１５７がメモリＩＤカード１７０からフィルタデータ、会員データを読み出すことができる。
【０１２０】
図７は、本実施の形態に係る店舗端末２００の構成例を示す図である。
【０１２１】
図において、レジ情報入力部２０２、データ処理部２０３、本部サーバ向け通信部２０４は、実施の形態１で示したそれぞれの対応部分と同じなので説明を省略する。
【０１２２】
カードインタフェース２０５は、メモリＩＤカード１７０とのインタフェースとなり、カードインタフェース２０５へのメモリＩＤカードの挿入又は接触によりデータ処理部２０３がメモリＩＤカード１７０からフィルタデータ及び会員データを読み出すことができ、また、フィルタデータ及び会員データをメモリＩＤカード１７０に書き込むことができる。
【０１２３】
本実施の形態における本部サーバ３００の構成は、実施の形態１に示したものと同様である。また、本実施の形態における車載端末１５０、店舗端末２００、本部サーバ３００のそれぞれの動作も実施の形態１と同様であり、説明を省略する。
【０１２４】
このように、本実施の形態によれば、ユーザが用いる端末が携帯型の端末でなくても、メモリＩＤカードを用いることにより、ユーザに負担をかけることなく、ユーザの商品購入又はサービスの利用に関する特性に合致したフィルタデータの生成・更新が可能であり、これにより、車載端末では、ユーザに必要な配信情報のみを選択し表示することができ、また、事業者においても配信情報による広告効果を適切に得ることができる。
【０１２５】
実施の形態３．
以上の実施の形態１及び実施の形態２では、図１１に示すような商品又はサービスに関するフィルタデータを用いることとしたが、図１２に示すような、商品又はサービスに直接関係のないユーザの属性（子どもあり）に関するフィルタデータを用いるようにしてもよく、また、図１２のフィルタデータに対応させたタグ（子どもあり）を有する配信情報（図９）を配信するようにしてもよい。
【０１２６】
また、図１２に示すように、最終来店日をフィルタデータにしてもよく、また、図９に示すように、最終来店日をタグとし、最終来店日が所定日（例えば、２００２年７月３１日）以前のユーザのユーザ端末に配信情報を表示させるようにしてもよい。
【０１２７】
また、車載端末の場合は、図１２に示すように、配信情報の表示タイミングを車内での会話が途切れて１０分後といった形にしてもよい。
【０１２８】
また、携帯電話機をユーザ端末としている場合は、配信情報の表示タイミングを携帯電話機のマナーモードが解除された後としてもよい。
【０１２９】
また、車載端末の場合は、配信情報の表示タイミングを車が停止した際としてもよい。
【０１３０】
更に、ユーザ端末又は車載端末は、図１３に示すように、複数の事業者の店舗に対するフィルタデータを保有するようにしてもよく（図１３では、レンタルビデオ店とレストランの例を示している）、実施の形態２に示したメモリＩＤカードを用いる場合では、一枚のメモリＩＤカードで複数の事業者の店舗の会員証として機能させることができ、また複数の事業者の店舗に対するフィルタデータの設定を一枚のメモリＩＤカードで行ってもよい。
【０１３１】
また、一つのサーバで、複数の事業者（例えば、レンタルビデオ店とレストラン）の配信情報の生成を行い（図１０）、複数の事業者の商品・サービス履歴情報を管理してもよい。この場合には、例えば事業者Ａに関する商品・サービス履歴情報をもとに事業者Ｂ向けのフィルタデータの生成を行うサービスを行なうことができる。
【０１３２】
また、本部サーバにおいて電子クーポンを含む配信情報を生成し、人工衛星から配信させてもよい。この場合に、ユーザはユーザ端末又は車載端末において電子クーポンを含む配信情報を受信することができ、電子クーポンを格納したユーザ端末又はメモリＩＤカードを店舗に持参することにより、店舗にて割引を受けることができる。また、店舗側では、広告の入手経路を把握でき広告の効果を検証することができる。
【０１３３】
また、実施の形態１及び実施の形態２では、ユーザの利用する端末として、携帯型のユーザ端末又は車載端末としたが、これらに限らず、列車や飛行機等の移動手段に搭載された端末であってもよいし、家庭やオフィス等の屋内に設置された端末であってもよいし、キオスク端末のような公共的スペースに設置された端末であってもよい。また、街頭ディスプレイに接続され、街頭ディスプレイに配信情報を表示できるような装置であってもよい。
【０１３４】
また、実施の形態２で示したメモリＩＤカードは、ユーザのカギやキーホルダーといったユーザの所有物と一体になった非接触型のＩＣカードでもよく、ユーザは店舗を訪れた際にカギやキーホルダー等と一体になった非接触型ＩＣカードを店舗端末にかざすことにより店舗端末との間でフィルタデータ、会員データのやりとりを行なうようにしてもよい。
【０１３５】
また、メモリＩＤカードをＥＴＣ（Ｅｌｅｃｔｒｏｎｉｃ  Ｔｏｌｌ  Ｃｏｌｌｅｃｔｉｏｎ  Ｓｙｓｔｅｍ）用カードと兼用としてもよく、この場合は、自動車内での情報収集と決済を一枚のカードで行なうことができる。
【０１３６】
また、実施の形態１及び実施の形態２では、実店舗を想定していたが、ネットワーク上の仮想店舗であってもよい。この場合も、上記と同様に、ユーザの端末からネットワーク上の仮想店舗にフィルタデータ及び会員データを送信し、仮想店舗からフィルタデータを受信すればよい。
【０１３７】
また、実施の形態１及び実施の形態２では、配信情報の配信源として人工衛星を想定したが、人工衛星の種類として静止衛星であってもよいし、準天頂衛星であってもよい。
【０１３８】
準天頂衛星は、それぞれが１２０度ずつ離れるように３機が配置され、それぞれの衛星が８時間ずつ交代するように、切れ目なく日本上空に位置する。また、地域を日本で考えた場合、仰角が７０度以上の準天頂衛星が常に上空に存在することになり、準天頂衛星から配信情報を配信すれば、例えばユーザがビルの谷間にいる場合でも、ユーザ端末又は車載端末はビル等に遮られることなく、配信情報を受信することができる。
【０１３９】
また、人工衛星からの配信に限ることなく、地上波放送（アナログ、デジタル）、有線放送（ＣＡＴＶ、インターネット放送等）、広域通信網（携帯電話網等による放送的サービス）、無線ＬＡＮ、ＵＷＢ（Ｕｌｔｒａ  Ｗｉｄｅ  Ｂａｎｄ）、近距離無線（赤外線、ＤＳＲＣ、光・電波ビーコン、ミリ波等）であってもよい。
【０１４０】
また、事業者名が変更された場合等のユーザの端末が保有するフィルタデータを一斉に更新する必要が生じた場合は、新たな事業者名が表示されたフィルタデータを例えば人工衛星から一斉に配信するようにしてもよい。
【図面の簡単な説明】
【０１４１】
【図１】実施の形態１に係るシステムの構成例を示す図。
【図２】実施の形態１に係るユーザ端末の構成例を示す図。
【図３】実施の形態１に係る店舗端末の構成例を示す図。
【図４】実施の形態１に係る本部サーバの構成例を示す図。
【図５】実施の形態２に係るシステムの構成例を示す図。
【図６】実施の形態２に係るユーザ端末の構成例を示す図。
【図７】実施の形態２に係る店舗端末の構成例を示す図。
【図８】実施の形態１に係る配信情報の例を示す図。
【図９】実施の形態３に係る配信情報の例を示す図。
【図１０】実施の形態３に係る配信情報の例を示す図。
【図１１】実施の形態１に係るフィルタデータの例を示す図。
【図１２】実施の形態３に係るフィルタデータの例を示す図。
【図１３】実施の形態３に係るフィルタデータの例を示す図。
【図１４】実施の形態１に係るユーザ端末の動作例を示すフローチャート図。
【図１５】実施の形態１に係る本部サーバの動作例を示すフローチャート図。
【図１６】実施の形態１に係るユーザ端末の動作例を示すフローチャート図。
【図１７】本部サーバにおけるユーザ特性の分析処理を説明する図。
【図１８】本部サーバにおけるユーザ特性の分析処理を説明する図。
【図１９】本部サーバにおけるユーザ特性の分析処理を説明する図。
【図２０】本部サーバにおけるユーザ特性の分析処理を説明する図。
【図２１】本部サーバにおけるユーザ特性の分析処理を説明する図。
【図２２】本部サーバにおけるユーザ特性の分析処理を説明する図。
【符号の説明】
【０１４２】
１  ユーザ、２  店舗、３  事業者本部、４  衛星送出センタ、５  人工衛星、１００  ユーザ端末、１０１  配信情報受信部、１０２  フィルタリング処理部、１０３  フィルタデータ、１０４  配信情報蓄積部、１０５  表示タイミング制御部、１０６  近距離無線通信部、１０７  データ読出書込部、１０８  会員データ記憶部、１０９  表示部、１１０  ユーザ入力部、１５０  車載端末、１５１  配信情報受信部、１５２  フィルタリング処理部、１５３  フィルタデータ、１５４  配信情報蓄積部、１５５  表示タイミング制御部、１５６  カードインタフェース、１５７  データ読出書込部、１５８  表示部、１５９  ユーザ入力部、１７０  メモリＩＤカード、２００  店舗端末、２０１  近距離無線通信部、２０２  レジ情報入力部、２０３  データ処理部、２０４  本部サーバ向け通信部、２０５  カードインタフェース、２５０  レジスター、３００  本部サーバ、３０１  店舗端末向け通信部、３０２  商品・サービス履歴情報データベース、３０３  フィルタデータ生成部、３０４  配信情報生成部、３０５  衛星送出センタ向け通信部。
【図１】
2005050233.tif 000003
【図２】
2005050233.tif 000004
【図３】
2005050233.tif 000005
【図４】
2005050233.tif 000006
【図５】
2005050233.tif 000007
【図６】
2005050233.tif 000008
【図７】
2005050233.tif 000009
【図８】
2005050233.tif 000010
【図９】
2005050233.tif 000011
【図１０】
2005050233.tif 000012
【図１１】
2005050233.tif 000013
【図１２】
2005050233.tif 000014
【図１３】
2005050233.tif 000015
【図１４】
2005050233.tif 000016
【図１５】
2005050233.tif 000017
【図１６】
2005050233.tif 000018
【図１７】
2005050233.tif 000019
【図１８】
2005050233.tif 000020
【図１９】
2005050233.tif 000021
【図２０】
2005050233.tif 000022
【図２１】
2005050233.tif 000023
【図２２】
2005050233.tif 000024